(57)【要約】【課題】  キュービクル設置時に外部にデータを送信するための監視装置を設けなくても、後から容易に監視装置を設置できるキュービクルを提供する。【解決手段】  引き込まれた高圧ケーブル１ａの受電電圧情報、高圧ケーブル１ａに流れる電流情報、力率情報、消費電力情報、自家発電設備による発電電力情報、買電電力情報、高圧ケーブルを介して売電する売電電力情報、高圧受電設備の中の主遮断装置のオン／オフ情報、過電流継電器の動作情報、地絡過電圧継電器の動作情報、負荷開閉器の開閉情報を入手して、外部に送信する監視装置２０を設置する空間を有し、当該空間には監視装置２０が情報を入手するために高圧受電設備の所定の機器から配設された伝送線Ｌ２に接続された接続端子群１７が設けられている。【選択図】  図１
2017103866.tif 000002
【特許請求の範囲】
【請求項１】
電力会社から送電された電力を受電する高圧受電設備を収納すると共に、自家発電設備の発電電力を前記高圧受電設備を介して前記電力会社に売電可能としたキュービクルであって、
引き込まれた高圧ケーブルの受電電圧情報、前記高圧ケーブルに流れる電流情報、力率情報、消費電力情報、前記自家発電設備による発電電力情報、買電電力情報、前記高圧ケーブルを介して売電する売電電力情報、高圧受電設備の中の主遮断装置のオン／オフ情報、過電流継電器の動作情報、地絡過電圧継電器の動作情報、負荷開閉器の開閉情報のうち、少なくとも前記受電電圧情報、前記電流情報、前記買電電力情報、前記売電電力情報を入手して、外部に送信する監視装置を設置する空間を有し、
当該空間には、前記監視装置が情報を入手するために前記高圧受電設備の所定の機器から配設された伝送線が接続された接続端子が設けられて成ることを特徴とするキュービクル。
【請求項２】
前記自家発電設備が太陽光発電設備を含むと共に、前記接続端子は気温計及び日射計のうち少なくとも一方が接続された端子を含むことを特徴とする請求項１記載のキュービクル。
【発明の詳細な説明】
【技術分野】
【０００１】
本発明は、高電圧の商用電力を受電するためのキュービクルに関し、特に太陽光発電等の自家発電設備が接続されたキュービクルに関する。
【背景技術】
【０００２】
電力会社から送電された高電圧の商用電力を受電する一方で、太陽光発電等の自家発電設備を備えて商用電力に系統連系させている需要家が増えている。このような高電圧を受電する需要家は、商用電力を引き込むためにキュービクルが設置されると共に、自家発電設備の発電状態を外部で管理する装置が別途設置された。
例えば特許文献１では、キュービクルとは別に監視装置（収集ユニット）を設置し、この収集ユニットに通信機能を設けて、太陽光発電による発電電力データ及び売電電力データも収集して通信網を介して外部に送信し、パーソナルコンピュータ等で閲覧可能とした。
【先行技術文献】
【特許文献】
【０００３】
【特許文献１】特開２０１５−９１１６９号公報
【発明の概要】
【発明が解決しようとする課題】
【０００４】
上述したように、従来のキュービクルは、発電データ等を外部に送信して外部で電力を管理可能とする機器をキュービクルに設置できるよう構成されていなかったため、キュービクルとは独立して監視装置を設置した。
この点に鑑み、監視装置を別途設置することなくキュービクルに収納した構成も存在するが、監視装置を必要としない利用者も多くあり、そのような利用者に対して設置されるキュービクルは、引き続き従来通りの監視装置を収容できない構成のキュービクルとなっていた。
【０００５】
そのため、キュービクル設置後に、キュービクルへの監視装置の接続を要望する利用者に対しては、キュービクル内には設置スペースがないため、相変わらず独立して監視装置を設置していた。この場合、キュービクルには既に機器が組み込まれているため、監視装置とキュービクル内の機器との接続も面倒であった。
【０００６】
そこで、本発明はこのような問題点に鑑み、キュービクル設置時に外部にデータを送信するための監視装置を設けなくても、後から容易に監視装置を内部に設置できるキュービクルを提供することを目的としている。
【課題を解決するための手段】
【０００７】
上記課題を解決する為に、請求項１の発明は、電力会社から送電された電力を受電する高圧受電設備を収納すると共に、自家発電設備の発電電力を高圧受電設備を介して電力会社に売電可能としたキュービクルであって、引き込まれた高圧ケーブルの受電電圧情報、高圧ケーブルに流れる電流情報、力率情報、消費電力情報、自家発電設備による発電電力情報、買電電力情報、高圧ケーブルを介して売電する売電電力情報、高圧受電設備の中の主遮断装置のオン／オフ情報、過電流継電器の動作情報、地絡過電圧継電器の動作情報、負荷開閉器の開閉情報のうち、少なくとも受電電圧情報、電流情報、買電電力情報、売電電力情報を入手して、外部に送信する監視装置を設置する空間を有し、当該空間には、監視装置が情報を入手するために高圧受電設備の所定の機器から配設された伝送線が接続された接続端子が設けられて成ることを特徴とする。
この構成によれば、キュービクル設置時に監視装置を設けていなくても、設置空間に加えて、各種情報を監視装置が入手するための接続端子が設けられているため、後から容易に設置でき、利用者の要求を簡易な作業で満たすことができる。また、キュービクル内に監視装置を設置できるため、別途スペースを必要としないし防水対策も必要ない。
【０００８】
請求項２の発明は、請求項１に記載の構成において、自家発電設備が太陽光発電設備を含むと共に、接続端子は気温計及び日射計のうち少なくとも一方が接続された端子を含むことを特徴とする。
この構成によれば、監視装置を設置した際に気温情報或いは日射量情報を太陽光発電設備の発電量情報と共に簡単な作業で送信でき、発電設備の異常を外部から把握し易い。
【発明の効果】
【０００９】
本発明によれば、キュービクル設置時に監視装置を設けていなくても、設置空間に加えて、各種情報を監視装置が入手するための接続端子が設けられているため、後から容易に設置でき、利用者の要求を簡易な作業で満たすことができる。また、キュービクル内に監視装置を設置できるため、別途スペースを必要としないし防水対策も必要ない。
【図面の簡単な説明】
【００１０】
【図１】本発明に係るキュービクルの一例を示す回路図である。
【図２】監視装置の機能説明図である。
【図３】図１のキュービクルの正面説明図である。
【図４】図１のキュービクルの平面説明図である。
【図５】キュービクルと外部設備との接続説明図である。
【発明を実施するための形態】
【００１１】
以下、本発明を具体化した実施の形態を、図面を参照して詳細に説明する。図１は本発明に係るキュービクルの一例を示す回路図であり、１は電力会社から配電されて引き込まれた高圧ケーブル１ａが接続される受電部、２は計器用変成器（ＶＣＴ）、３は主遮断装置（ＶＣＢ）、４は受電した高電圧を１１０Ｖ等の負荷に供給する電圧に変換する変圧器、５は自家発電設備による発電電圧を受電電圧まで昇圧するための変圧器、６は負荷開閉器（ＬＢＳ）である。受電部１から変圧器４、５までの電路が受電電圧が印加された高電圧な主電路Ｌ１となっている。
【００１２】
そして、ＶＣＴ２を介して買電用の電力量計１１や売電用の電力量計１２が設置されている。また、変圧器５の先が自家発電設備の接続部であり、パワーコンディショナ１３を介して図示しない太陽光発電設備が接続されている。
また、主電路Ｌ１には各種計器を備えたマルチメーター１４が変圧器１４ａを介して接続されている。マルチメーター１４には、主電路Ｌ１の電圧、電流、位相、そして消費電力、売電電力量、買電電力量等の電力関連の各計測値を表示する表示部１５（１５ａ〜１５ｆ）が設けられている。
【００１３】
更に、１７は後述する監視装置２０に各種計測データを伝送するための複数の端子（接続端子）から成る接続端子群であり、監視装置２０が設置される空間Ｓ（図３，４に示す）に対して設けられている。
この接続端子群１７は、各種機器から配設された複数の伝送線Ｌ２が接続され、マルチメーター１４が表示する電圧や電流等の電力関連情報に加えて、ＶＣＢ３のオン／オフ状態を通知する端子１７ａ、過電流継電器（ＯＣＲ）７の過電流検出を受けて異常発生を通知する端子１７ｂ、ＬＢＳ６の開閉を通知する端子１７ｃ、地絡過電圧継電器（ＯＶＧＲ）８の地絡電圧検出を受けて異常発生を通知する端子１７ｄ等が設けられている。
【００１４】
図２は監視装置２０の機能説明図を示し、図２に示すように接続端子群１７に接続することで各種情報を入手し、電流、電圧、力率、消費電力、売電電力、買電電力、気温日射量等の情報に加えて、ＶＣＢ３のオン／オフ状態、ＬＢＳ６の開閉情報、ＯＣＲ７の異常検出情報、ＯＶＧＲ８の異常発生情報を通信ネットワークを介して外部のクラウドサーバ３７（図５に示す）等に送信する。
【００１５】
図３，４はキュービクルの外観説明図であり、図３は正面図、図４は平面図である。この図に示すように、キュービクル１０内には高圧受電設備が収納される一方で、監視装置２０を設置するための空間Ｓが設けられ、接続端子群１７が空間Ｓに対して配置されている。
【００１６】
図５は、監視装置２０を組み付けたキュービクル１０と外部の電力設備との関係を示している。図５に示すように、キュービクル１０は、電力会社から送電線２９等により送電された６６００Ｖの電力を受電するための高圧受電設備が収納される一方で、太陽電池モジュール３０ａ、接続箱３０ｂ、パワーコンディショナ３０ｃ等を備えた太陽光発電設備３０の発電電力を受電するよう構成されている。また、太陽光発電設備３０の異常を検出するために、日射計３１、気温計３２が接続されている。
このように接続されたキュービクル１０は、図示しない負荷に電力を供給する一方で、太陽光発電設備３０の発電電力の余剰分或いは所定の割合を、受電部１から電力会社に売電する。
【００１７】
そして、破線Ｍで囲んだ部分が監視装置２０を組み込むことで新に接続される機器等を示し、ルータ３５、インターネット網３６を介してクラウドサーバ３７や図示しないパーソナルコンピュータに接続され、収集した情報が送信される。
【００１８】
このように、キュービクル１０設置時に監視装置２０が設けられていなくても、設置するための空間Ｓに加えて、各種情報を入手するための接続端子群１７が設けられているため、後から容易に設置でき、利用者の要求を簡易な作業で満たすことができる。また、キュービクル１０内に監視装置２０を設置できるため、別途スペースを必要としないし防水対策も必要ない。
更に、監視装置２０を設置した際に気温情報或いは日射量情報を太陽光発電設備３０の発電量情報と共に簡単な作業で送信でき、発電設備の異常を外部から把握し易い。
【００１９】
尚、上記実施形態では、発電設備を太陽光発電設備３０として説明したが、風力発電や燃料電池等の他の発電設備であっても良い。
また、監視装置２０が入手して外部に送信する情報を、電力関連情報に加えてＶＣＢ３のオン／オフ状態、ＬＢＳ６の開閉情報、ＯＣＲ７の異常検出情報、ＯＶＧＲ８の異常発生情報、更に気温情報、日射量情報としているが、買電電力、売電電力情報を含む電力関連情報だけでも設備の管理には有効である。
【符号の説明】
【００２０】
１ａ・・高圧ケーブル、２・・計器用変成器、３・・主遮断装置、６・・負荷開閉器、７・・過電流継電器、８・・地絡過電圧継電器、１４・・マルチメーター、１７・・接続端子群（接続端子）、２０・・監視装置、３０・・太陽光発電設備（自家発電設備）、３１・・日射計、３２・・気温計、Ｓ・・空間。
【図１】
2017103866.tif 000003
【図２】
2017103866.tif 000004
【図３】
2017103866.tif 000005
【図４】
2017103866.tif 000006
【図５】
2017103866.tif 000007